(57)【要約】      （修正有）【課題】反対側が見通せないドアーを開けようとする人に、ドアーの裏側に人が居ることを自動的に知らせて、ドアーを急に開けることによって起こる事故を、未然に防止するための光型ドアー開閉事故防止装置を提供する。【解決手段】人の存在を検知するためのセンサーを、電源に近い壁などに取り付け、当該センサーの信号を受けて作動する発光器を使用して、その光をドアーなどに設置した受光器で受けて、それを表示に利用することで、発光器から表示器にいたる間の配線などを省くとともに、表示器の電源も不要にする。このことで、人目に付きやすいところに取り付けることを可能にした安価な光型ドアー開閉事故防止装置である。【選択図】図１
0003155202.tif 000002
【実用新案登録請求の範囲】
【請求項１】
人感センサーからの信号で点灯する発光器を使用して、見通しが利かない構造のドアーの反対側に、人や物が存在することを、ドアーを開けようとする人に、自動的に知らせる事故防止装置において、人の存在を検知して発光する発光器に、焦点距離と投光する光の方向を変更可能にしたレンズを取り付け、そこからの光を、光の方向に変えるための鏡を内蔵した受光きに当てて、表示板に投光する光型ドアー開閉事故防止装置。
【請求項２】
請求項１のドアーの梁の部分に、ドアーの開閉状態を検知するドアースイッチを取り付け、それを請求項１の人感センサーと組み合わせて、ドアーが開いているときには、発光器を点灯しないようにする機能を付加した光型ドアー開閉事故防止装置。
【考案の詳細な説明】
【技術分野】
【０００１】  本考案は、反対側が見通せないドアーを開けようとする人に、ドアーの裏側に人が居ることを自動的に知らせて、ドアーを急に開けることによって起こる事故を、未然に防止するための光型ドアー開閉事故防止装置である。
【背景技術】
【０００２】  従来は、ドアーを開けようとする人に、ドアーの裏側に人が居ることを知らせるには、ドアーに透視窓を設置したり、人感センサーや撮像機器を使用して人を検知し、電気式の表示器や受像機で知らせている。【０００３】  ドアーに窓を付けることは、人に見られて困るものがある場合や、防犯や防災上適当でない場合には不適である。特に、非常階段などのドアーには適さない。【０００４】  人感センサーや撮像機器を用いる場合は、商用電源を使用しているものが多いため、電源から離れた場所や、ドアーなどの動くものに取り付けると、配線距離が長くなったり、動く部分の配線を補強したり、ドアーの内部に配線を通すための加工が必要になる。このため、手間や費用が掛かることになるので、これを避けるために電源に近い壁の部分に取り付けられることになると、人が気付きにくくなる。【０００５】  表示器も上述と同じ理由で、壁などに取り付けられると、急いでドアーを開けようとする人が気付きにくくなるため、表示器のサイズを大きくしたり、明るくしなければならない。  このため、さらに費用が嵩んで、取り付けることが容易でなくなる。【０００６】  人感センサーを使用するものは、特開２００４−１２７０６８号公報に記載されている。当該公報記載の考案は、人感センサーでドアーに接近する人を検知し、その人に音声や電気式文字表示器で、メッセージを伝えたり、警報を発したりするので、人の存在だけ知らせる目的で使用するには、必要のない機器が付いて、無駄な費用が掛かる。
なお、当該公報記載の考案は、表示器が人を検知する場所と同じ方向を向いているので、このまま本考案の目的には使用できないが、表示器の部分だけドアーの裏側に向ければ使用できるものと考えられるので、ここでは問題視していない。【０００７】  撮像機器と人感センサーをドアーの見やすいところに取り付けたものは、特開２００８−３３５２３号公報に記載されている。当該公報記載の考案は、ドアーに近づく人を人感センサーで検知してその人の映像を記録し、防犯に役立てるものであるが、これも人の存在だけ知らせる目的で使用するには、必要のない機器が付いていて、無駄な費用が掛かる。
【先行技術文献】
【０００８】
【特許文献１】特開２００４−１２７０６８号公報
【特許文献２】特開２００８−３３５２３号公報
【考案の概要】
【考案が解決しようとする課題】
【０００９】  人の存在を検知する部分と、その結果を表示する表示器の間を、電線や光ファイバーなどで結ぶと前述の費用が掛かるので、この間を安価な方法で結ぶことと、表示器もドアーの裏側に人が居るか、居ないかだけを知らせることに絞って、表示のために特別なエネルギーを必要としない安価なものにすることが課題である。
【課題を解決するための手段】
【００１０】  本考案は、人の存在を検知する機器が人を検知すると発光し、その光を表示器に集光して表示に使用することで、人の存在を検知する機器と表示器の間の伝送手段に代えること、および、この光を点滅するなどして、そのまま表示器として使用するか、表示器のバックライトや、表示面の照明に使用することで、表示器のエネルギーを省いて、そのための費用を削減した光型ドアー開閉事故防止装置である。
【考案の効果】
【００１１】  本考案による光型ドアー開閉事故防止装置は、商用電力を使用する人感センサーと、その信号を受けて発光する発光器を、壁などの固定箇所に取り付けても、表示器との間を光でつなぐため、ドアーと壁などの間を結ぶ結線や、ドアーの内部を加工して配線する必要がないため、安価で容易に取り付けられる。このことによって、反対側が見通せないドアーを急に開くことによって起こる人や物の損傷事故を防止することに役立てることができる。
【図面の簡単な説明】
【００１２】
【図１】本考案をドアーが開けられる側に取り付けた場合のレイアウトを示す平面図である。
【図２】図１のＡ〜Ａ断面である。
【図３】図１のＡ〜Ａ断面の内、本考案の発光器から表示器に至る間の詳細を示す部分を取り出したものである。
【考案を実施するための形態】
【００１３】  本考案を、非常階段につながるドアーなどに取り付ける場合は、図１の人感センサーと１と発光器３が、電源工事の容易な壁に取り付けられ、表示器７はドアー８を開けようとする人の目に付きやすいノブに近い場所に取り付けられる。  発光器３の光は、図２に点線で示す経路を通って受光器５に達する。
【００１４】  この部分の詳細は図３に示すが、発光器３は発光体１０とレンズ１１で構成されていて、人感センサー１からの信号で、発光体１０が点灯すると、レンズ１１によって、ドアーのノブ付近に取り付けられた受光器５の中の鏡１２の表面に集光され、ドアーの中を貫通する中空の導光官６を通って、光を散乱させて透過する散光板１３に当たり、散乱した光が人の居ることを示す文字が書かれた表示板１４のバックライトとなる。
【００１５】  図１、２に示すドアーの梁の部分には、ドアーの開閉状態を検知するドアースイッチ４を取り付けて、前記人感センサー１と組み合わせ、ドアーが開いているときには、前記発光体１０を点灯しないようにする。
【符号の説明】
【００１６】１・・・人感センサー
２・・・リード線
３・・・発光器
４・・・ドアースイッチ
５・・・受光器
６・・・導光官
７・・・表示器
８・・・ドアー
９・・・ドアノブ
１０・・発光体
１１・・レンズ
１２・・鏡
１３・・散光板
１４・・表示板
【図１】
0003155202.tif 000003
【図２】
0003155202.tif 000004
【図３】
0003155202.tif 000005